(57)【特許請求の範囲】
【請求項１】
内部に飯器を収納し得るように構成された炊飯器本体と、該炊飯器本体の開口を開閉自在に覆蓋すべく該炊飯器本体の肩部に設けられたヒンジ部に対してヒンジピンを介して弧回動自在に枢支された蓋体と、該蓋体を開方向に付勢すべく前記ヒンジピンに装着されたヒンジスプリングと、前記炊飯器本体側の電源部と前記蓋体側の電気部品とを接続するためのリード線と、前記ヒンジ部の外側を覆うヒンジカバーとを備えた電気炊飯器であって、前記ヒンジ部には、上下に並ぶ水平な二つの隔壁を一体に形成して該隔壁によって区画された上下に並ぶ三つの収納部を設けるとともに、前記上段収納部には、前記ヒンジピンおよび前記ヒンジスプリングを配設する一方、前記上部隔壁の一方側端部には、前記リード線を配索するための切欠を形成し、前記リード線を、前記蓋体内から前記上段収納部における一方側を経て下方に延設されて前記上部隔壁における切欠から前記中段収納部に入り、該中段収納部を反対方向に延設される蓋体側リード線と、該蓋体該リード線に接続されて下方に延設され前記下段収納部を経て前記炊飯器本体内に入る本体側リード線とによって構成したことを特徴とする電気炊飯器。
【請求項２】
前記蓋体側リード線と本体側リード線との接続部を、前記中段収納部において前記切欠が形成されている側の反対側の端部に位置させたことを特徴とする前記請求項１記載の電気炊飯器。
【請求項３】
前記接続部の端子を、前記上部隔壁から一体に垂設された上部リブと、該上部リブに対して端部側にずれた状態で対向するように前記下部隔壁から一体に立設された下部リブとの間に反端部側が下となるように傾斜状態で挟持したことを特徴とする前記請求項２記載の電気炊飯器。
【請求項４】
前記上段収納部の中央部には、前記上部隔壁を下方に窪ませて形成されたヒンジスプリング固定部を形成し、該ヒンジスプリング固定部の形成により前記中段収納部の中央部におけるリード線配索部を狭くし且つ該リード線配索部の両側には、独立した独立空間部を形成したことを特徴とする前記請求項１、２および３のいずれか一項記載の電気炊飯器。
【請求項５】
前記下段収納部における端部には、前記本体側リード線を前記炊飯器本体に配索するとともに配線確認窓として利用される開口を形成したことを特徴とする前記請求項１、２、３および４のいずれか一項記載の電気炊飯器。
【請求項６】
前記ヒンジカバーの内面には、取付時において前記下部隔壁の先端に対して突き合わされる水平リブを一体に形成したことを特徴とする前記請求項１、２、３、４および５のいずれか一項記載の電気炊飯器。
【請求項７】
前記上部隔壁において前記切欠が形成されている部分の近傍から一体に垂設された垂下リブと、該垂下リブと略対向するように前記下部隔壁から一体に立設された起立リブとによって前記中段収納部を区画するとともに、前記垂下リブと起立リブとの間に前記蓋体側リード線を挟持したことを特徴とする前記請求項１、２、３、４、５および６のいずれか一項記載の電気炊飯器。
【発明の詳細な説明】
【０００１】
【発明の属する技術分野】
本願発明は、電気炊飯器に関し、さらに詳しくは蓋体を枢支するヒンジ部の構造を工夫した電気炊飯器に関するものである。
【０００２】
【従来の技術】
一般に、電気炊飯器においては、炊飯器本体の開口を開閉自在に覆蓋すべく該炊飯器本体の肩部に設けられたヒンジ部に対してヒンジピンを介して弧回動自在に枢支された蓋体を備えているが、蓋体側に電気ヒータ（例えば、蓋ヒータ）などの電気部分が設けられた場合、この電気部品へ電源を供給する必要があるところから、前記ヒンジ部において、本体側のリード線と蓋体側のリード線とを接続する構造をとる必要がある。
【０００３】
また、電気炊飯器においては、蓋体を枢支するためにヒンジ部に設けられているヒンジピンに、蓋体を開方向に付勢するヒンジスプリングが装着されることとなっており、このヒンジスプリングの端部は、ヒンジ部から蓋体内に挿入支持される構造となる。
【０００４】
【発明が解決しようとする課題】
ところで、蓋体の内面側には、ご飯が炊き上がった直後等に露が付くが、この露が、蓋体を開作動させたときにヒンジ部側へ落下することが避けられない。
【０００５】
ところが、上記したような構造とした場合、ヒンジ部の上部に、リード線およびヒンジスプリングを蓋体側へ導出するための切欠開口を形成する必要が生ずるため、この切欠開口を介して前記した露がヒンジ部内に入り、ヒンジ部を介して炊飯器本体内へ侵入してしまうという不具合が生ずるおそれがある。
【０００６】
本願発明は、上記の点に鑑みてなされたもので、蓋体の内面側に付着した露が落下したとしても、この露が炊飯器本体内部へ侵入することがなくなるようにすることを目的とするものである。
【０００７】
【課題を解決するための手段】
請求項１の発明では、上記課題を解決するための手段として、内部に飯器を収納し得るように構成された炊飯器本体と、該炊飯器本体の開口を開閉自在に覆蓋すべく該炊飯器本体の肩部に設けられたヒンジ部に対してヒンジピンを介して弧回動自在に枢支された蓋体と、該蓋体を開方向に付勢すべく前記ヒンジピンに装着されたヒンジスプリングと、前記炊飯器本体側の電源部と前記蓋体側の電気部品とを接続するためのリード線と、前記ヒンジ部の外側を覆うヒンジカバーとを備えた電気炊飯器において、前記ヒンジ部に、上下に並ぶ水平な二つの隔壁を一体に形成して該隔壁によって区画された上下に並ぶ三つの収納部を設けるとともに、前記上段収納部に、前記ヒンジピンおよび前記ヒンジスプリングを配設する一方、前記上部隔壁の一方側端部に、前記リード線を配索するための切欠を形成し、前記リード線を、前記蓋体内から前記上段収納部における一方側を経て下方に延設されて前記上部隔壁における切欠から前記中段収納部に入り、該中段の収納部を反対方向に延設される蓋体側リード線と、該蓋体該リード線に接続されて下方に延設され前記下段収納部を経て前記炊飯器本体内に入る本体側リード線とによって構成している。
【０００８】
上記のように構成したことにより、蓋体の内面側に付着した露が蓋体の開作動時にヒンジ部上部に落下し、ヒンジスプリングの端部およびリード線が導出される部分からヒンジ部内に侵入したとしても、ヒンジ部には、上下方向に連続し、炊飯器本体内に連通する通路が形成されていないため、侵入した露は、上部および下部隔壁によって形成された上段収納部あるいは中段収納部に止まって自然蒸発することとなる。従って、ヒンジ部を介して露が炊飯器本体内に侵入することがなくなり、炊飯器本体内の電気部品（例えば、加熱手段として用いられる電磁誘導コイル等）に絶縁不良が生じることがなくなる。
【０００９】
請求項２の発明におけるように、請求項１記載の電気炊飯器において、前記蓋体側リード線と本体側リード線との接続部を、前記中段収納部において前記切欠が形成されている側の反対側の端部に位置させた場合、中段収納部において接続部が配設されている部分の上部は、上部隔壁によって覆われているため、接続部に露が付着するということがなくなる。
【００１０】
請求項３の発明におけるように、請求項２記載の電気炊飯器において、前記接続部の端子を、前記上部隔壁から一体に垂設された上部リブと、該上部リブに対して反端部側にずれた状態で対向するように前記下部隔壁から一体に立設された下部リブとの間に反端部側が下となるように傾斜状態で挟持した場合、リード線接続部の端子が一対のリブによって容易且つ確実に固定できるとともに、万が一端子に露が付着したとしても、端子が反端部側が下となるように傾斜状態とされているため、速やかに下部隔壁上に流下することとなり、端子における絶縁不良の発生を未然に防止することができる。
【００１１】
請求項４の発明におけるように、請求項１、２および３のいずれか一項記載の電気炊飯器において、前記上段収納部の中央部に、前記上部隔壁を下方に窪ませて形成されたヒンジスプリング固定部を形成し、該ヒンジスプリング固定部の形成により前記中段収納部の中央部におけるリード線配索部を狭くし且つ該リード線配索部の両側に、独立した独立空間部を形成した場合、中段収納部の独立空間部に落下した露がやたらに移動することができなくなり、炊飯器本体内部への露の侵入をより確実に防止することができる。
【００１２】
請求項５の発明におけるように、請求項２、３および４のいずれか一項記載の電気炊飯器において、前記下段収納部における端部に、前記本体側リード線を前記炊飯器本体に配索するとともに配線確認窓として利用される開口を形成した場合、リード線の配索状態を開口から確認することができることとなり、リード線の誤配索を確実に防止することができる。
【００１３】
請求項６の発明におけるように、請求項１、２、３、４および５のいずれか一項記載の電気炊飯器において、前記ヒンジカバーの内面に、取付時において前記下部隔壁の先端に対して突き合わされる水平リブを一体に形成した場合、下部隔壁の上方に形成される中段収納部が下部隔壁および水平リブによってほぼ完全に区画されることとなり、炊飯器本体内部への露の侵入をより確実に防止することができる。
【００１４】
請求項７の発明におけるように、請求項１、２、３、４、５および６のいずれか一項記載の電気炊飯器において、前記上部隔壁において前記切欠が形成されている部分の近傍から一体に垂設された垂下リブと、該垂下リブと略対向するように前記下部隔壁から一体に立設された起立リブとによって前記中段収納部を区画するとともに、前記垂下リブと起立リブとの間に前記蓋体側リード線を挟持した場合、上部隔壁と下部隔壁との間に形成される中段収納部に落下した露の移動がリブによって阻止されるとともに、リード線の配索が容易となる。
【００１５】
【発明の実施の形態】
以下、添付の図面を参照して、本願発明の好適な実施の形態について詳述する。
【００１６】
この電気炊飯器は、図１に示すよう、内部に炊飯用の飯器３を収納し得るように構成され且つ空間部４を有する二重構造の炊飯器本体１と、該炊飯器本体１の上部開口を開閉自在に覆蓋する蓋体２とを備えている。
【００１７】
前記炊飯器本体１は、外側壁となるステンレス製の円筒形状の胴ケース５と、底壁となる合成樹脂製の皿形状の底部材６と、内周壁となる合成樹脂製の有底筒状の保護枠７と、該保護枠７の上端と前記胴ケース５の上端とを結合する合成樹脂製の肩部材８とによって構成されており、前記胴ケース５、底部材６、保護枠７および肩部材８に囲まれて前記空間部４が形成されている。なお、前記保護枠７内には、前記飯器３が取り出し可能に収納されることとなっている。
【００１８】
前記保護枠７の底面中央部には、飯器温度を検出するための温度検出手段として作用するセンタセンサー９を臨ませるためのセンサー穴１０が形成されている。
【００１９】
前記センタセンサー９を包囲するように炊飯時における加熱手段として作用する環状の電磁誘導コイル（以下、ワークコイルという）１１，１１が前記保護枠７の底面および該底面から側周面に至る間の湾曲部に対応して配設されている。該各ワークコイル１１は、交番磁界を発生するものであり、該交番磁界の電磁誘導により前記飯器３に誘導渦電流を発生させ、該誘導渦電流の抵抗熱を利用して加熱するものとされている。なお、飯器３は、ワークコイル１１により誘導渦電流を発生させることのできる材質（例えば、磁性体材料）により構成される。
【００２０】
前記センサー穴１０内には、前記飯器３の底部に対して接触するようにして前記センタセンサー９が設けられている。
【００２１】
前記炊飯器本体１における空間部４の前部には、前記ワークコイル１１の通電制御を行うためのパワートランジスタおよび整流用ダイオードブリッジ（図示省略）等の電子部品を備えた電源基板１３と、制御基板１４とが前後に並列状態で縦向きに配設された基板カバー１５，１６にそれぞれ支持されて配置されている。前記電源基板１３が支持されている基板カバー１５の下端部中央には、凹部１７が形成されていて、該凹部１７には、前記電子部品へ冷却風を圧送する電子部品冷却用の冷却ファン１８が配設されている。また、前記炊飯器本体１の底壁（具体的には、底部材６）には、前記冷却ファン１８に対向して空気入口１９が形成されている。さらに、前記電源基板１３には、ヒートシンク２０が取り付けられている。符号２１は前記保護枠７の側周面に設けられた保温ヒータである。
【００２２】
前記炊飯器本体１における空間部４の後部には、コードリール２２が縦置き状態で配設されている。
【００２３】
一方、前記蓋体２は、外面を構成する合成樹脂製の上板２３と、該上板２３の外周縁に接合される合成樹脂製のドーナツ形状の下部縁板２４と、該下部縁板２４の内周縁に取り付けられる熱良導体（例えば、アルミ合金等）からなる放熱板２５とによって構成されており、前記これらの板材２３，２４，２５に囲まれた空間部２６には、断熱材２７が配設されている。前記放熱板２５の上面には、蓋ヒータ２８が設けられている。
【００２４】
この蓋体２は、前記炊飯器本体１の肩部を構成する肩部材８の一側（即ち、後部側）に一体に形成されたヒンジ部２９（後に詳述する）に対してヒンジピン３０を介して弧回動自在に取り付けられている。符号３１は蓋体２を閉止状態に保持するためのロック機構、３２は調圧筒、３３は蒸気通路、３４は内蓋である。
【００２５】
ついで、図２ないし図６を参照して、ヒンジ部２９の構造について詳述する。
【００２６】
このヒンジ部２９は、前記肩部材８の一側（即ち、後部側）に一体に形成されており、外側が開放された箱形状を呈している。そして、このヒンジ部２９の外側は、着脱自在なヒンジカバー３５によって覆われている。
【００２７】
前記ヒンジ部２９には、上下に並ぶ水平な二つの隔壁３６，３７を一体に形成して該隔壁３６，３７によって区画された上下に並ぶ三つの収納部３８，３９，４０が設けられており、前記上段収納部３８には、前記左右一対のヒンジスプリング４１，４１が装着されたヒンジピン３０がヒンジ部２９の両側壁２９ａ，２９ａに形成された軸受部４２，４２および上段収納部３８の背面中央部に形成された軸受部４３に枢支した状態で配設されている。このヒンジピン３０の両端は、蓋体２に枢着されている。
【００２８】
前記ヒンジ部２９の上面２９ｂには、前記ヒンジスプリング４１，４１における一端４１ａ，４１ａ（即ち、蓋体２側に係止される端部）を導出するための切欠凹部４４，４５と、前記ヒンジカバー３５の上端に突設された係合片４７，４７，４７が係合される係合穴４６，４６，４６とが形成されている（図２参照）。
【００２９】
前記上段収納部３８の中央部には、前記上部隔壁３６を下方に窪ませてなるヒンジスプリング固定部４８が形成されており、該ヒンジスプリング固定部４８の形成により前記中段収納部３９の中央部におけるリード線配索部３９ａが狭くされ且つ該リード線配索部３９ａの両側には、独立した独立空間部３９ｂ，３９ｃが形成されることとなっている。そして、このヒンジスプリング固定部４８の背面側には、ヒンジスプリング４１，４１の他端４１ｂ，４１ｂが挿入係合されることとなっている（図２および図４参照）。
【００３０】
前記上部隔壁３６の一方側端部（即ち、前記一方の切欠凹部４４に対応する左側端部）には、炊飯器本体１側の電源部（具体的には、電源基板１３）と蓋体２側の電気部品である蓋ヒータ２８とを接続するためのリード線４９を配索するための切欠５０が形成されている（図２参照）。
【００３１】
前記リード線４９は、蓋体２内から一方の切欠凹部４４および上段収納部３８における一方側（即ち、左側端部）を経て下方に延設されて上部隔壁３６における切欠５０から中段収納部３９における第１の独立空間３９ｂに入り、該中段収納部３９を反対方向に延設されてリード線配索部３９ａを経て第２の独立空間３９ｃに至る蓋体側リード線４９ａと、該蓋体側リード線４９ａに接続されて下部隔壁３７に形成された切欠穴５１を経て下方に延設され、下段収納部４０を経てヒンジ部２９の底壁２９ｃに形成された開口５２から炊飯器本体１内に入る本体側リード線４９ｂとによって構成されている（図２および図３参照）。該開口５２は、比較的大きな開口面積とされ、本体側リード線４９ｂの炊飯器本体１内での配索状態を確認することのできる配線確認窓としての機能も有している。
【００３２】
上記のように構成したことにより、蓋体２の内面側に付着した露が蓋体２の開作動時にヒンジ部２９上部に落下し、ヒンジスプリング４１，４１の一方の端部４１ａ，４１ａおよびリード線４９（具体的には、蓋体側リード線４９ａ）が導出される部分である切欠凹部４４，４５からヒンジ部２９内に侵入したとしても、ヒンジ部２９には、上下方向に連続し、炊飯器本体１内に連通する通路が形成されていないため、侵入した露は、上部および下部隔壁３６，３７によって形成された上段収納部３８あるいは中段収納部３９に止まって自然蒸発することとなる。従って、ヒンジ部２９を介して露が炊飯器本体１内に侵入することがなくなり、炊飯器本体１内の電気部品（例えば、加熱手段として用いられるワークコイル１１等）に絶縁不良が生じることがなくなる。
【００３３】
前記蓋体側リード線４９ａと本体側リード線４９ｂとは、前記中段収納部３９における第２の独立空間３９ｃ（換言すれば、中段収納部３９の左側端部）において接続部５３を構成する端子５３ａ，５３ｂを介して接続されている。該接続部５３を構成する端子５３ａ，５３ｂは、前記上部隔壁３６から一体に垂設された上部リブ５４と、該上部リブ５４に対して端部側（換言すれば、右側）にずれた状態で対向するように前記下部隔壁３７から一体に立設された下部リブ５５との間に反端部側（換言すれば、左側）が下となるように傾斜状態で挟持されている（図３参照）。このようにすると、中段収納部３９においてリード線接続部５３を構成する端子５３ａ，５３ｂが配設されている部分の上部は、上部隔壁３６によって覆われているため、接続部５３に露が付着するということがなくなるし、リード線接続部５３の端子５３ａ，５３ｂが一対のリブ５４，５５によって容易且つ確実に固定できるとともに、万が一端子５３ａ，５３ｂに露が付着したとしても、端子５３ａ，５３ｂが反端部側（左側）が下となるように傾斜状態とされているため、速やかに下部隔壁３７上に流下することとなり、端子における絶縁不良の発生を未然に防止することができる。
【００３４】
また、前記中段収納部３９は、該中段収納部３９における第１の独立空間３９ｂにおいて前記上部隔壁３６（詳しくは、前記切欠５０が形成されている部分の近傍）から一体に垂設された垂下リブ５６と、該垂下リブ５６と略対向するように前記下部隔壁３７から一体に立設された起立リブ５７とによって左右の部屋に区画されており、前記垂下リブ５６と起立リブ５７との間に蓋体側リード線４９ａの途中が挟持されている（図２参照）。このようにすると、上部隔壁３６と下部隔壁３７との間に形成される中段収納部３９の第１の独立空間３９ｂに落下した露の移動が起立リブ５７によって阻止されるとともに、リード線４９（具体的には、蓋体側リード線４９ａ）の配索が容易となる。
【００３５】
一方、前記ヒンジカバー３５は、その下端部に一体に突設した係合爪５８，５８，５８（図４参照）をヒンジ部２９の底壁２９ｃに形成された係合穴５９，５９および前記開口５２に係合させた状態で、前述した係合片４７，４７，４７をヒンジ部２９側の係合穴４６，４６，４６に係合させることにより取り付けられることとなっている。
【００３６】
そして、このヒンジカバー３５の内面側には、取付時において前記下部隔壁３７の先端に対して突き合わされる水平リブ６０が一体に形成されている。このようにすると、下部隔壁３７の上方に形成される中段収納部３９が下部隔壁３７および水平リブ６０によってほぼ完全に区画されることとなり、炊飯器本体１内部への露の侵入をより確実に防止することができる。なお、この水平リブ６０はヒンジカバー３５の剛性を補強する補強リブとしての機能も有している。符号６１は水平補強リブ、６２は垂直補強リブである。
【００３７】
また、このヒンジカバー３５には、上端から切り込まれた左右一対の切り込み溝６３，６３が形成されている。この切り込み溝６３，６３は、蓋体２の開作動時においてヒンジスプリング４１，４１の一端４１ａ，４１ａが後方側に移動した時、ヒンジスプリング４１，４１の一端４１ａ，４１ａが入り込むようになっており、このことにより、ヒンジスプリング４１，４１の一端４１ａ，４１ａの移動が許容されるようになっているのである（図２参照）。
【００３８】
さらに、前記ヒンジカバー３５の外面中央部には、ストッパー６４が一体に形成されており、該ストッパー６４には、蓋体２の開作動時に蓋体２の後端部に形成された突起６５が係合され、当該係合により蓋体２の開度が規制されることとなっている。
【００３９】
上記各実施の形態においては、加熱手段としてワークコイルを用いているが、本願発明は、加熱手段として電気ヒータを用いたものにも適用可能なことは勿論である。
【００４０】
【発明の効果】
請求項１の発明によれば、内部に飯器を収納し得るように構成された炊飯器本体と、該炊飯器本体の開口を開閉自在に覆蓋すべく該炊飯器本体の肩部に設けられたヒンジ部に対してヒンジピンを介して弧回動自在に枢支された蓋体と、該蓋体を開方向に付勢すべく前記ヒンジピンに装着されたヒンジスプリングと、前記炊飯器本体側の電源部と前記蓋体側の電気部品とを接続するためのリード線と、前記ヒンジ部の外側を覆うヒンジカバーとを備えた電気炊飯器において、前記ヒンジ部に、上下に並ぶ水平な二つの隔壁を一体に形成して該隔壁によって区画された上下に並ぶ三つの収納部を設けるとともに、前記上段収納部に、前記ヒンジピンおよび前記ヒンジスプリングを配設する一方、前記上部隔壁の一方側端部に、前記リード線を配索するための切欠を形成し、前記リード線を、前記蓋体内から前記上段収納部における一方側を経て下方に延設されて前記上部隔壁における切欠から前記中段収納部に入り、該中段の収納部を反対方向に延設される蓋体側リード線と、該蓋体該リード線に接続されて下方に延設され前記下段収納部を経て前記炊飯器本体内に入る本体側リード線とによって構成して、蓋体の内面側に付着した露が蓋体の開作動時にヒンジ部上部に落下し、ヒンジスプリングの端部およびリード線が導出される部分からヒンジ部内に侵入した場合に、侵入した露が、上部および下部隔壁によって形成された上段収納部あるいは中段収納部に止まって自然蒸発するようにしたので、ヒンジ部を介して露が炊飯器本体内に侵入することがなくなり、炊飯器本体内の電気部品（例えば、加熱手段として用いられる電磁誘導コイル等）に絶縁不良が生じることがなくなるという効果がある。
【００４１】
請求項２の発明におけるように、請求項１記載の電気炊飯器において、前記蓋体側リード線と本体側リード線との接続部を、前記中段収納部において前記切欠が形成されている側の反対側の端部に位置させた場合、中段収納部において接続部が配設されている部分の上部は、上部隔壁によって覆われているため、接続部に露が付着するということがなくなる。
【００４２】
請求項３の発明におけるように、請求項２記載の電気炊飯器において、前記接続部の端子を、前記上部隔壁から一体に垂設された上部リブと、該上部リブに対して反端部側にずれた状態で対向するように前記下部隔壁から一体に立設された下部リブとの間に反端部側が下となるように傾斜状態で挟持した場合、リード線接続部の端子が一対のリブによって容易且つ確実に固定できるとともに、万が一端子に露が付着したとしても、端子が反端部側が下となるように傾斜状態とされているため、速やかに下部隔壁上に流下することとなり、端子における絶縁不良の発生を未然に防止することができる。
【００４３】
請求項４の発明におけるように、請求項１、２および３のいずれか一項記載の電気炊飯器において、前記上段収納部の中央部に、前記上部隔壁を下方に窪ませて形成されたヒンジスプリング固定部を形成し、該ヒンジスプリング固定部の形成により前記中段収納部の中央部におけるリード線配索部を狭くし且つ該リード線配索部の両側に、独立した独立空間部を形成した場合、中段収納部の独立空間部に落下した露がやたらに移動することができなくなり、炊飯器本体内部への露の侵入をより確実に防止することができる。
【００４４】
請求項５の発明におけるように、請求項２、３および４のいずれか一項記載の電気炊飯器において、前記下段収納部における端部に、前記本体側リード線を前記炊飯器本体に配索するとともに配線確認窓として利用される開口を形成した場合、リード線の配索状態を開口から確認することができることとなり、リード線の誤配索を確実に防止することができる。
【００４５】
請求項６の発明におけるように、請求項１、２、３、４および５のいずれか一項記載の電気炊飯器前記ヒンジカバーの内面には、取付時において前記下部隔壁の先端に対して突き合わされる水平リブを一体に形成した場合、下部隔壁の上方に形成される中段収納部が下部隔壁および水平リブによってほぼ完全に区画されることとなり、炊飯器本体内部への露の侵入をより確実に防止することができる。
【００４６】
請求項７の発明におけるように、請求項１、２、３、４、５および６のいずれか一項記載の電気炊飯器において、前記上部隔壁において前記切欠が形成されている部分の近傍から一体に垂設された垂下リブと、該垂下リブと略対向するように前記下部隔壁から一体に立設された起立リブとによって前記中段収納部を区画するとともに、前記垂下リブと起立リブとの間に前記蓋体側リード線を挟持した場合、上部隔壁と下部隔壁との間に形成される中段収納部に落下した露の移動がリブによって阻止されるとともに、リード線の配索が容易となる。
【図面の簡単な説明】
【図１】本願発明の実施の形態にかかる電気炊飯器の縦断面図である。
【図２】本願発明の実施の形態にかかる電気炊飯器におけるヒンジ部の構造を示す分解斜視図である。
【図３】本願発明の実施の形態にかかる電気炊飯器におけるヒンジ部の拡大正面図である。
【図４】図３のＩＶ−ＩＶ断面図である。
【図５】図３のＶ−Ｖ断面図である。
【図６】図３のＶＩ−ＶＩ断面図である。
【符号の説明】
１は炊飯器本体、２は蓋体、３は飯器、８は肩部（肩部材）、２８は蓋ヒータ、２９はヒンジ部、３０はヒンジピン、３５はヒンジカバー、３６は上部隔壁、３７は下部隔壁、３８は上段収納部、３９は中段収納部、４０は下段収納部、４１はヒンジスプリング、４１ａは一端、４１ｂは他端、４４，４５は切欠凹部、４８はヒンジスプリング固定部、４９はリード線、４９ａは蓋体側リード線、４９ｂは本体側リード線、５０は切欠、５３は接続部、５３ａ，５３ｂは端子、５４は上部リブ、５５は下部リブ、５６は垂下リブ、５７は起立リブ、６０は水平リブ。
【図１】
0003589220.tif 000002
【図２】
0003589220.tif 000003
【図３】
0003589220.tif 000004
【図４】
0003589220.tif 000005
【図５】
0003589220.tif 000006
【図６】
0003589220.tif 000007